(57)【要約】【課題】構成要素の配置が異なる複数の仕様の画像形成装置の筐体のコストを低減することを目的とする。【解決手段】筐体２Ｃは、プリンターの仕様毎に形成され、仕様毎に異なる予め定められた配置に従ってプリンターのドラムユニット、現像ユニット、トナー容器が装着される複数組の側板８０Ｃと、複数組の側板８０Ｃが択一的に取り付け可能であり、いずれの組の側板８０Ｃが取り付けられても、取り付けられた側板８０Ｃに装着されたドラムユニット、現像ユニット、トナー容器が干渉しないフレーム５０と、を備える。【選択図】図５
2020046532.tif 000002
【特許請求の範囲】
【請求項１】
画像形成装置の仕様毎に形成され、前記仕様毎に異なる予め定められた配置に従って前記画像形成装置の構成要素が装着される複数組の側板と、
前記複数組の側板が択一的に取り付け可能であり、いずれの組の前記側板が取り付けられても、取り付けられた前記側板に装着された前記構成要素が干渉しないフレームと、を備えることを特徴とする筐体。
【請求項２】
前記複数組の側板は、
カラー仕様の前記画像形成装置の構成要素が装着されるカラー仕様側板と、
モノクロ仕様の前記画像形成装置の構成要素が装着されるモノクロ仕様側板と、を含むことを特徴とする請求項１に記載の筐体。
【請求項３】
前記フレームは、矩形断面の複数のパイプを用いて形成されていることを特徴とする請求項１に記載の筐体。
【請求項４】
前記複数組の側板の各組は、互いに対向する２つの側板を含むことを特徴とする請求項１に記載の筐体。
【請求項５】
請求項１乃至４のいずれか１項に記載の筐体と、
前記フレームに取り付けられた前記側板に対応する前記仕様の前記画像形成装置の構成要素と、を備えることを特徴とする画像形成装置。
【発明の詳細な説明】
【技術分野】
【０００１】
本発明は、画像形成装置の筐体及びこの筐体を備えた画像形成装置に関する。
【背景技術】
【０００２】
画像形成装置は、ユニット化された各種構成要素を筐体に収容して構成される。例えば、電子写真式の画像形成装置は、ドラムユニット、現像ユニット、トナー容器、露光装置、給紙装置、定着装置等の構成要素を筐体の内部に配置して構成される。
【０００３】
従来、画像形成装置の筐体について、種々の構成が検討されている。例えば、特許文献１には、ベースにプロッタエンジン部を組み込んだモールドフレームを固定し、その上から溶接構造体を組み込み、スキャナユニットを、溶接構造体のステー上に固定することが記載されている。特許文献２には、感光体及びその他の作像手段を、第１のフレームに位置決めして支持し、第１のフレームを第２のフレームに固定支持し、さらに第２のフレームに外装カバーを固定することが記載されている。特許文献３には、画像形成プロセス部、定着部等を収容し支持する第１の支持構造体と、シートの供給部の各種構成要素を収容し支持する第２支持構造体とを、それぞれ角型パイプを組み合わせて構成し、第１及び第２の支持構造体を組み合わせるために、互いに直交する角型パイプ同士を接合することが記載されている。
【０００４】
特許文献１乃至３に記載された筐体は、いずれも、矩形断面のパイプで形成されたフレームが構造材として用いられている。これに対して、例えば、互いに対向する２つの側板を底板に結合したコの字形の板金が、構成要素を支持する機能と、構造材としての機能とを兼ね備える構成も考えられる。
【先行技術文献】
【特許文献】
【０００５】
【特許文献１】特開平１１−２５８８８５号公報
【特許文献２】特開２０００−１７７２０２号公報
【特許文献３】特開２０００−１３８４７０号公報
【発明の概要】
【発明が解決しようとする課題】
【０００６】
ところで、画像形成装置の筐体内における各種構成要素の配置は、画像形成装置の仕様毎に異なるものとなる。例えば、カラー仕様の画像形成装置とモノクロ仕様の画像形成装置とでは、ドラムユニット、現像ユニット、トナー容器、露光装置等の数が異なる。また、カラー仕様の画像形成装置に備えられる中間転写ユニットは、モノクロ仕様の画像形成装置には備えられない。そのため、筐体の構成も画像形成装置の仕様毎に異なるものとなる。特許文献１乃至３に記載されている筐体や、コの字形の板金を用いた筐体では、筐体が画像形成装置の仕様毎に専用の設計となるため、設計や製造に多大なコストを要するという問題がある。
【０００７】
本発明は、上記事情を考慮し、構成要素の配置が異なる複数の仕様の画像形成装置の筐体のコストを低減することのできる筐体及び画像形成装置を提供することを目的とする。
【課題を解決するための手段】
【０００８】
上記課題を解決するため、本発明に係る筐体は、画像形成装置の仕様毎に形成され、前記仕様毎に異なる予め定められた配置に従って前記画像形成装置の構成要素が装着される複数組の側板と、前記複数組の側板が択一的に取り付け可能であり、いずれの組の前記側板が取り付けられても、取り付けられた前記側板に装着された前記構成要素が干渉しないフレームと、を備えることを特徴とする。
【０００９】
本発明に係る筐体において、前記複数組の側板は、カラー仕様の前記画像形成装置の構成要素が装着されるカラー仕様側板と、モノクロ仕様の前記画像形成装置の構成要素が装着されるモノクロ仕様側板と、を含んでいてもよい。
【００１０】
本発明に係る筐体において、前記フレームは、矩形断面の複数のパイプを用いて形成されていてもよい。
【００１１】
本発明に係る筐体において、前記複数組の側板の各組は、互いに対向する２つの側板を含んでいてもよい。
【００１２】
また、本発明に係る画像形成装置は、上記のいずれかの筐体と、前記フレームに取り付けられた前記側板に対応する前記仕様の前記画像形成装置の構成要素と、を備えることを特徴とする。
【発明の効果】
【００１３】
本発明によれば、構成要素の配置が異なる複数の仕様の画像形成装置の筐体のコストを低減することができる。
【図面の簡単な説明】
【００１４】
【図１】本発明の一実施形態に係るカラープリンターの内部構成を模式的に示す正面図である。
【図２】本発明の一実施形態に係るモノクロプリンターの内部構成を模式的に示す正面図である。
【図３】本発明の一実施形態に係るフレームを前側から見た斜視図である。
【図４】本発明の一実施形態に係るフレームを後側から見た斜視図である。
【図５】本発明の一実施形態に係るカラープリンターの筐体を前側から見た斜視図である。
【図６】本発明の一実施形態に係るカラープリンターの筐体を後側から見た斜視図である。
【図７】本発明の一実施形態に係るモノクロプリンターの筐体を前側から見た斜視図である。
【図８】本発明の一実施形態に係るモノクロプリンターの筐体を後側から見た斜視図である。
【発明を実施するための形態】
【００１５】
以下、図面を参照しつつ本発明の一実施形態に係る画像形成装置及び筐体について説明する。本実施形態では、複数の仕様の画像形成装置の一例として、カラープリンター１Ｃ（カラー仕様の画像形成装置の一例）とモノクロプリンター１Ｍ（モノクロ仕様の画像形成装置の一例）を例示する。以下、カラープリンター１Ｃとモノクロプリンター１Ｍをプリンター１と総称する。
【００１６】
まず、図１を参照して、カラープリンター１Ｃの全体の構成について説明する。図１は、カラープリンター１Ｃの内部構成を模式的に示す正面図である。以下、図１における紙面手前側をカラープリンター１Ｃの正面側（前側）とし、左右の向きはカラープリンター１を正面から見た方向を基準として説明する。各図において、Ｕ、Ｌｏ、Ｌ、Ｒ、Ｆｒ、Ｒｒは、それぞれ上、下、左、右、前、後を示す。
【００１７】
カラープリンター１Ｃの筐体２Ｃには、収容されたシートＳを搬送路６に送り出す給紙装置３と、フルカラーのトナー像をシートＳに形成する画像形成部４Ｃと、トナー像をシートＳに定着する定着装置５と、トナー像が定着されたシートＳが排出される排出部７と、が備えられている。以下の例では、カラープリンター１Ｃは、４色のトナーでカラー画像を形成するように構成されている。
【００１８】
画像形成部４Ｃは、４つのドラムユニット１５と、４つの露光装置９と、４つのトナー容器１２と、４つの現像ユニット１６と、中間転写ユニット１７と、二次転写ローラー１１と、を備えている。
【００１９】
ドラムユニット１５は、回転可能な感光体ドラム２１と、感光体ドラム２１を帯電させる帯電装置２２と、感光体ドラム２１の表面を清掃するクリーニング装置２３と、を備えている。
【００２０】
露光装置９は、画像データに基づくレーザー光を感光体ドラム２１に照射する。４つのトナー容器１２は、それぞれ、ブラック、シアン、マゼンタ、イエローのトナーを収容する。トナー容器１２の内部には、トナーを現像ユニット１６に送り出すスクリュー（図示省略）が設けられている。
【００２１】
現像ユニット１６は、現像容器３１と、磁気ローラー３２と、撹拌搬送スクリュー３３と、供給搬送スクリュー３４と、を備えている。現像容器３１とトナー容器１２との間には、トナーの供給路（図示省略）が設けられており、現像容器３１は、トナー容器１２から供給されたトナーを収容する。撹拌搬送スクリュー３３と供給搬送スクリュー３４は、現像容器３１の内部に互いに対向するように配置されている。磁気ローラー３２は、現像容器３１の開口部から露出し、供給搬送スクリュー３４と感光体ドラム２１に対向するように配置されている。
【００２２】
中間転写ユニット１７は、中間転写ベルト４１と、４つの一次転写ローラー４２と、を備えている。中間転写ベルト４１は、駆動ローラーと従動ローラーとに巻き掛けられた無端のベルトであり、４つの感光体ドラム２１に外面が対向するように配置され、循環走行する。転写ローラー４２は、中間転写ベルト４１の内面に対向するように配置され、感光体ドラム２１との間に中間転写ベルト４１を挟持する。
【００２３】
二次転写ローラー１１は、搬送路６を挟んで中間転写ベルト４１の外面に対向するように配置される。
【００２４】
次に、カラープリンター１Ｃの画像形成動作について説明する。カラープリンター１Ｃが外部コンピューター等から画像データを受信すると、シートＳが給紙装置３から搬送路６に送り出される。帯電した感光体ドラム２１の表面に、露光装置９により画像データに基づく潜像が形成される。現像容器３１に収容されたトナーは、撹拌搬送スクリュー３３によって撹拌された後、供給搬送スクリュー３４によって磁気ローラー３２に供給される。磁気ローラー３２に保持されたトナーが潜像に吸着されることにより、感光体ドラム２１にトナー像が形成される。各感光体ドラム２１に形成されたトナー像は、各一次転写ローラー４２により中間転写ベルト４１に重ねて転写される。中間転写ベルト４１に転写されたトナー像は、二次転写ローラー１１によりシートＳに転写され、定着装置５によりシートＳに定着される。トナー像が定着されたシートＳは、排出部７に排出される。
【００２５】
次に、図２を参照して、モノクロプリンター１Ｍの全体の構成について説明する。図２は、モノクロプリンター１Ｍの内部構成を模式的に示す正面図である。カラープリンター１Ｃに備えられたものと同じ構成要素には、同じ符号が付与されている。
【００２６】
モノクロプリンター１Ｍの筐体２Ｍには、収容されたシートＳを搬送路６に送り出す給紙装置３と、モノクロのトナー像をシートＳに形成する画像形成部４Ｍと、トナー像をシートＳに定着する定着装置５と、トナー像が定着されたシートＳが排出される排出部７と、が備えられている。
【００２７】
画像形成部４Ｍは、ドラムユニット１５と、露光装置９と、トナー容器１２と、現像ユニット１６と、転写ローラー１３と、を備えている。これらの構成要素の構成は、カラープリンター１Ｃと同じであるから、説明を省略する。転写ローラー１３は、搬送路６を挟んで感光体ドラム２１に対向するように配置される。
【００２８】
カラープリンター１Ｃとモノクロプリンター１Ｍの各構成要素の配置を比較すると、カラープリンター１Ｃでは、トナーの色毎に組み合わされた４組のドラムユニット１５と現像ユニット１６が、中間転写ユニット１７の下方に中間転写ベルト４１の下面に沿って一列に配置されている。一方、モノクロプリンター１Ｍでは、ドラムユニット１５と現像ユニット１６が給紙装置３と定着装置５との間の搬送路６に配置されている。また、モノクロプリンター１Ｍでは、ドラムユニット１５と現像ユニット１６がカラープリンター１Ｃと比べて低い位置に配置されている。また、カラープリンター１Ｃでは、トナー容器１２がドラムユニット１５と現像ユニット１６よりも上方に配置されているのに対して、モノクロプリンター１Ｍでは、トナー容器１２が現像ユニット１６の左方に配置されている。
【００２９】
次に、モノクロプリンター１Ｍの画像形成動作について説明する。モノクロプリンター１Ｍが外部コンピューター等から画像データを受信すると、シートＳが給紙装置３から搬送路６に送り出される。帯電した感光体ドラム２１の表面に、露光装置９により画像データに基づく潜像が形成される。現像容器３１に収容されたトナーは、撹拌搬送スクリュー３３によって撹拌された後、供給搬送スクリュー３４によって磁気ローラー３２に供給される。磁気ローラー３２に保持されたトナーが潜像に吸着されることにより、感光体ドラム２１にトナー像が形成される。トナー像は、転写ローラー１３によりシートＳに転写され、定着装置５によりシートＳに定着される。トナー像が定着されたシートＳは、排出部７に排出される。
【００３０】
次に、図３乃至８を参照して、カラープリンター１Ｃの筐体２Ｃ、モノクロプリンター１Ｍの筐体２Ｍについて説明する。図３は、フレーム５０を前側から見た斜視図である。図４は、フレーム５０を後側から見た斜視図である。図５は、カラープリンター１Ｃの筐体２Ｃを前側から見た斜視図である。図６は、カラープリンター１Ｃの筐体２Ｃを後側から見た斜視図である。図７は、モノクロプリンター１Ｍの筐体２Ｍを前側から見た斜視図である。図８は、モノクロプリンター１Ｍの筐体２Ｍを後側から見た斜視図である。
【００３１】
カラープリンター１Ｃの筐体２Ｃは、フレーム５０とカラー仕様側板８０Ｃとを備える。モノクロプリンター１Ｍの筐体２Ｍは、フレーム５０とモノクロ仕様側板８０Ｍとを備える。以下、カラー仕様側板８０Ｃとモノクロ仕様側板８０Ｍを、側板８０と総称する。
【００３２】
フレーム５０には、プリンター１の仕様毎に形成された複数組の側板８０が択一的に取り付け可能である。複数組の側板８０には、それぞれ、プリンター１の仕様毎に異なる予め定められた配置に従ってプリンター１の構成要素が装着される。フレーム５０は、いずれの組の側板８０が取り付けられても、取り付けられた側板８０に装着された構成要素が干渉しないように構成されている。
【００３３】
図３、４に示されるように、フレーム５０は、複数の角パイプ５１乃至６８を用いて形成されている。複数の角パイプ５１乃至６８は、ステンレス鋼、アルミニウム合金等で形成された矩形断面のパイプである。複数の角パイプ５１乃至６８の断面の寸法及び形状は、共通である。複数の角パイプ５１乃至６８は、溶接により接合されている。フレーム５０には、ネジ孔が形成されており（図示省略）、側板８０がネジを用いて取り付けられる。
【００３４】
複数組の側板８０には、カラープリンター１Ｃの筐体２Ｃに用いられるカラー仕様側板８０Ｃと、モノクロプリンター１Ｍの筐体２Ｍに用いられるモノクロ仕様側板８０Ｍと、の２組が含まれる。フレーム５０は、カラープリンター１Ｃとモノクロプリンター１Ｍとで共通であり、カラー仕様側板８０Ｃとモノクロ仕様側板８０Ｍが択一的にフレーム５０に取り付け可能である。前述のとおり、カラープリンター１Ｃとモノクロプリンター１Ｍは、構成要素の配置が異なっているため、構成要素の装着位置もカラー仕様側板８０Ｃとモノクロ仕様側板８０Ｍとで異なっている。以下、便宜上、カラープリンター１Ｃ及びモノクロプリンター１Ｍの構成要素のうち、ドラムユニット１５、現像ユニット１６、トナー容器１２の配置に関連する側板８０の構成について説明する。
【００３５】
図５、６に示されるように、カラー仕様側板８０Ｃは、カラー仕様後側板８０ＣＲとカラー仕様前側板８０ＣＦとを含む。カラー仕様後側板８０ＣＲとカラー仕様前側板８０ＣＦとは、フレーム５０の後側と前側に互いに対向するように配置される。
【００３６】
カラー仕様後側板８０ＣＲは、ドラムユニット１５が装着される４つのドラムユニット装着部８５Ｃと、現像ユニット１６が装着される４つの現像ユニット装着部８６Ｃと、トナー容器１２が装着される４つのトナー容器装着部８２Ｃと、を備える。ドラムユニット装着部８５Ｃ、現像ユニット装着部８６Ｃ、トナー容器装着部８２Ｃは、開口部であり、その周辺には、ドラムユニット１５、現像ユニット１６、トナー容器１２をネジを用いてカラー仕様後側板８０ＣＲに装着するための複数のネジ孔が形成されている（図示省略）。
【００３７】
ドラムユニット装着部８５Ｃに装着されたドラムユニット１５の後端部には、感光体ドラム２１を回転させるための駆動部（図示省略）が接続される。駆動部は、モーターとギヤ列とを備え、感光体ドラム２１の軸に設けられたギヤがギヤ列に噛み合わされる。
【００３８】
現像ユニット装着部８６Ｃに装着された現像ユニット１６の後端部には、磁気ローラー３２、撹拌搬送スクリュー３３、供給搬送スクリュー３４を回転させるための駆動部（図示省略）が接続される。駆動部は、モーターとギヤ列とを備え、磁気ローラー３２、撹拌搬送スクリュー３３、供給搬送スクリュー３４の軸に設けられたギヤがギヤ列に噛み合わされる。
【００３９】
トナー容器装着部８２Ｃに装着されたトナー容器１２の後端部には、トナー容器１２のスクリューを回転させるための駆動部（図示省略）が接続される。駆動部は、モーターとギヤ列とを備え、スクリューの軸に設けられたギヤがギヤ列に噛み合わされる。
【００４０】
カラー仕様前側板８０ＣＦは、前側開口部８８Ｃを備える。前側開口部８８Ｃは、ドラムユニット１５、現像ユニット１６等の保守を行うために設けられており、前側開口部８８Ｃからドラムユニット１５、現像ユニット１６の引き出しと挿入が可能である。
【００４１】
図７、８に示されるように、モノクロ仕様側板８０Ｍは、モノクロ仕様後側板８０ＭＲとモノクロ仕様前側板８０ＭＦとを含む。モノクロ仕様後側板８０ＭＲとモノクロ仕様前側板８０ＭＦとは、フレーム５０の後側と前側に互いに対向するように配置される。
【００４２】
モノクロ仕様後側板８０ＭＲは、ドラムユニット１５が装着されるドラムユニット装着部８５Ｍと、現像ユニット１６が装着される現像ユニット装着部８６Ｍと、トナー容器１２が装着されるトナー容器装着部８２Ｍと、を備える。ドラムユニット装着部８５Ｍ、現像ユニット装着部８６Ｍ、トナー容器装着部８２Ｍは、開口部であり、その周辺には、ドラムユニット１５、現像ユニット１６、トナー容器１２をネジを用いてモノクロ仕様後側板８０ＭＲに装着するための複数のネジ孔が形成されている（図示省略）。
【００４３】
ドラムユニット装着部８５Ｍ、現像ユニット装着部８６Ｍ、トナー容器装着部８２Ｍの構成は、カラー仕様後側板８０ＣＲのドラムユニット装着部８５Ｃ、現像ユニット装着部８６Ｃ、トナー容器装着部８２Ｃの構成と同様であるから、説明を省略する。
【００４４】
モノクロ仕様前側板８０ＭＦは、前側開口部８８Ｍを備える。前側開口部８８Ｍは、ドラムユニット１５、現像ユニット１６等の保守を行うために設けられており、前側開口部８８Ｍからドラムユニット１５、現像ユニット１６の引き出しと挿入が可能である。また、前側開口部８８Ｍからトナー容器１２の交換が可能である。
【００４５】
カラープリンター１Ｃの筐体２Ｃとモノクロプリンター１Ｍの筐体２Ｍを比較すると、図５及び６に示されるように、カラープリンター１Ｃの筐体２Ｃにおいては、カラー仕様後側板８０ＣＲの４つのトナー容器装着部８２Ｃが角パイプ６１よりも上方に位置し、４組のドラムユニット装着部８５Ｃと現像ユニット装着部８６Ｃが角パイプ６１よりも下方に位置している。一方、図７及び８に示されるように、モノクロプリンター１Ｍの筐体２Ｍにおいては、モノクロ仕様後側板８０ＭＲのトナー容器装着部８２Ｍ、ドラムユニット装着部８５Ｍ、現像ユニット装着部８６Ｍが角パイプ６１よりも下方に位置している。カラー仕様前側板８０ＣＦの前側開口部８８Ｃ、モノクロ仕様前側板８０ＭＦの前側開口部８８Ｍは、いずれも角パイプ６３よりも下方に位置している。
【００４６】
以上説明した本実施形態に係るカラープリンター１Ｃ及びモノクロプリンター１Ｍによれば、カラー仕様側板８０Ｃとモノクロ仕様側板８０Ｍが択一的にフレーム５０に取り付け可能であり、カラー仕様側板８０Ｃとモノクロ仕様側板８０Ｍのどちらがフレーム５０に取り付けられても、取り付けられた側板８０に装着された構成要素（ドラムユニット１５、現像ユニット１６、トナー容器１２等）が、フレーム５０に干渉することがない。従って、共通のフレーム５０にカラー仕様側板８０Ｃとモノクロ仕様側板８０Ｍのいずれかを取り付けるだけで、カラープリンター１Ｃの筐体２Ｃとモノクロプリンター１Ｍの筐体２Ｍを形成することができる。よって、本実施形態によれば、構成要素の配置が異なる複数の仕様のプリンター１（カラープリンター１Ｃ、モノクロプリンター１Ｍ）の筐体２Ｃ、２Ｍのコストを低減することができる。
【００４７】
また、本実施形態に係るカラープリンター１Ｃ及びモノクロプリンター１Ｍによれば、側板８０の設計を変更するだけで仕様を追加することができるから、画像形成装置の仕様を容易に増やすことができる。
【００４８】
また、本実施形態に係るカラープリンター１Ｃ及びモノクロプリンター１Ｍによれば、フレーム５０が複数の角パイプ５１乃至６８を用いて形成されているから、安価で高剛性なフレーム５０を形成することができる。
【００４９】
また、本実施形態に係るカラープリンター１Ｃ及びモノクロプリンター１Ｍによれば、カラー仕様側板８０Ｃとモノクロ仕様側板８０Ｍが互いに対向する２つの側板８０で構成されるから、画像形成装置のカラー仕様とモノクロ仕様との切り替えが容易である。
【００５０】
上記実施形態が以下のように変形されてもよい。
【００５１】
上記実施形態では、ドラムユニット１５、現像ユニット１６、トナー容器１２の配置に関連する側板の構成について説明したが、露光装置９の配置、中間転写ユニット１７や二次転写ローラー１１の配置や有無等に応じて側板８０の形状を異ならせてもよい。また、トナー容器１２や現像容器３１の容量、電源基板の大きさ、給紙装置３の配置等に応じて側板８０の形状を異ならせてもよい。
【００５２】
上記実施形態では、２組の側板８０が択一的にフレーム５０に取り付けられる例を示したが、３組以上の側板８０が択一的にフレーム５０に取り付けられるように構成されてもよい。
【００５３】
上記実施形態では、複数組の側板８０の各組が互いに対向する２つの側板８０で構成されている例を示したが、各組が３つ以上の側板８０を備えていてもよい。
【００５４】
上記実施形態では、カラープリンター１Ｃが４色のトナーでカラー画像を形成するように構成されている例が示されているが、トナーの色の数は、いくつでもよい。
【００５５】
上記実施形態では、フレーム５０が角パイプで形成されている例を示したが、アングル、チャンネル、Ｃ形断面の梁部材等でフレーム５０が形成されてもよい。
【符号の説明】
【００５６】
１  プリンター（画像形成装置）
１Ｃ  カラープリンター（カラー仕様の画像形成装置）
２Ｃ  筐体
１Ｍ  モノクロプリンター（モノクロ仕様の画像形成装置）
２Ｍ  筐体
１２  トナー容器（構成要素）
１５  ドラムユニット（構成要素）
１６  現像ユニット（構成要素）
５０  フレーム
５１〜６８  角パイプ
８０  側板
８０Ｃ  カラー仕様側板
８０ＣＦ  カラー仕様前側板（互いに対向する２つの側板）
８０ＣＲ  カラー仕様後側板（互いに対向する２つの側板）
８０Ｍ  モノクロ仕様側板
８０ＭＦ  モノクロ仕様前側板（互いに対向する２つの側板）
８０ＭＲ  モノクロ仕様後側板（互いに対向する２つの側板）
【図１】
2020046532.tif 000003
【図２】
2020046532.tif 000004
【図３】
2020046532.tif 000005
【図４】
2020046532.tif 000006
【図５】
2020046532.tif 000007
【図６】
2020046532.tif 000008
【図７】
2020046532.tif 000009
【図８】
2020046532.tif 000010